(57)【要約】  照明装置を第１の照明システムに結合する方法であり、第１のシステムはマスターコントローラを有し、マスターコントローラは照明装置から離れており、スレーブコントローラがシステムの識別情報（ID）を格納している場合に照明装置のスレーブコントローラを制御し得る。電源を供給されると、スレーブコントローラがこのようなIDを有する場合に、システムのマスターコントローラと通信しようとする。スレーブコントローラがこのような通信を確立することに成功しない場合、設定を変更し得る状態に入る。特に、低減した通信セキュリティレベルでの時間ウィンドウの間に、設定の変更を許容するメッセージを受信すると、このIDをクリアする。
2008517424.tif 000002
【特許請求の範囲】
【請求項１】
照明装置を照明システムに結合する方法であって、
前記照明装置から離れている前記システムのマスターコントローラは、システム情報がスレーブコントローラにまだ格納されていない場合に前記スレーブコントローラに前記システムの識別情報を格納するために、また、前記スレーブコントローラに格納されている識別情報が前記アクセスするマスターコントローラを備えた前記システムの前記識別情報と同一である場合に前記照明装置を制御するために、無線接続で前記照明装置のスレーブコントローラに選択的にアクセスしてもよく、
前記照明装置の電源供給時に、関連するスレーブコントローラがシステムのシステム識別情報を有する場合に：
a)前記スレーブコントローラは、前記システムのマスターと通信を確立することを試行し、
b)前記スレーブコントローラが前記通信を確立することに成功しない場合に、前記スレーブコントローラは、時間ウィンドウの期間中に低減した通信セキュリティでその外部からクリアメッセージを受け入れるように設定され、前記メッセージは、前記スレーブコントローラが前記格納されているIDを無視することを許容されることを示すことを特徴とする方法。
【請求項２】
前記スレーブコントローラは、前記クリアメッセージを受信するまで、低減した通信セキュリティで、複数の限られた数の時間ウィンドウを適用することを特徴とする請求項１に記載の方法。
【請求項３】
前記セキュリティレベルは、入力された場合に、次の時間間隔の間に低くなることを特徴とする請求項２に記載の方法。
【発明の詳細な説明】
【技術分野】
【０００１】
本発明は、請求項１のプリアンブルに記載のように、無線通信の使用中に照明装置を照明システムに結合する方法に関する。
【背景技術】
【０００２】
前記の形式の方法はUS2002/0154025に開示されている。照明システムの各照明装置のスレーブコントローラでは、そのスレーブコントローラを備えた照明装置が結合されるシステムを識別する識別情報が格納される。システムのマスターコントローラは、マスターコントローラに結合された全てのスレーブコントローラの識別情報を有する。スレーブコントローラが電力を失い、後に再び電力を供給されると、これに格納されているシステム識別情報を検出する。次に、スレーブコントローラは、再びマスターコントローラと通信しようとする。
【０００３】
システムの識別情報を格納しているスレーブコントローラは、命令がシステムのマスターコントローラから受信されたことをスレーブコントローラが確実に確認できる場合にのみ、装置の発光体を制御する命令に応答する。
【発明の開示】
【発明が解決しようとする課題】
【０００４】
従来技術では、照明装置のスレーブコントローラがシステム識別情報を有しており、照明装置が地理的に動かされようと動かされまいと、照明装置を異なるシステムに結合しようとしたときに、問題が生じる。セキュリティの理由で、スレーブコントローラへのアクセスは、格納されたシステム識別情報の初期設定値へのリセットが禁止されるように制限される。その代わりに、識別番号又はラベルが外部から照明装置に目に見えないように適用される方法を考えることができる。識別番号又はラベルは、何らかの努力で、ユーザにより読み取られ、異なるシステムに結合するために異なるシステムのマスターコントローラに入力されてもよい。また、このような照明装置の固有の番号をメモリディスク又はインターネットサイトのサーバに格納することもできる。これらの手法は時間の浪費を必要とし、このような固有の番号の読み取り、格納及び監視についてのつまらない動作を必要とする。多くの照明装置が１つのシステムから異なるシステムに割り当てられなければならない場合に、及び／又は照明装置が複数の地理的に離れた位置に広がる場合に、このような欠点は更に重大になる。
【０００５】
前述の従来技術の欠点を解決することが本発明の目的である。
【課題を解決するための手段】
【０００６】
本発明の前記の目的は、請求項１に記載の方法を提供することにより実現される。
【０００７】
本発明による方法で、照明装置のスレーブコントローラが異なるシステムの識別情報を格納していたとしても、照明装置を照明システムに結合することが可能になる。照明装置及びこれらに割り当てられた固有の番号を管理する必要はない。
【発明を実施するための最良の形態】
【０００８】
本発明は、添付図面に関して以下の例示的な説明から次第に明らかになる。
【０００９】
図１に示すフローチャートは、マスターコントローラと複数の照明装置とを有し、各照明装置はスレーブコントローラを有する照明システム（図示せず）に適用される。スレーブコントローラは、照明システムの識別情報（ID）を格納してもよく、マスターコントローラは、複数のスレーブコントローラの識別情報を格納してもよい。このような識別情報がマスターコントローラとスレーブコントローラとに格納されると、マスターコントローラは、照明装置を選択的にオン若しくはオフ又は減光するように制御することができる。
【００１０】
図１に示すフローチャートは、スレーブコントローラが電源を供給されたときに、照明装置のスレーブコントローラにより入力される手順又は方法を示している。この方法は、端部“開始”2から端部“終了”4までを有する。
【００１１】
判定ブロック6で示すように、スレーブコントローラは、既にシステム識別情報（ID）を格納しているか否かを検査することで始まる。スレーブコントローラがこのようなIDを有さない場合、フローは端部4で終了する。明らかに、スレーブコントローラは未処理又は新規である。スレーブコントローラはマスターコントローラから受信する通信要求を単に待機し、スレーブコントローラをマスターコントローラに結合する（関連付ける）。
【００１２】
判定ブロック6に従って、スレーブコントローラがシステム識別情報（ID）を有することが決定されると、ブロック8で示すように、スレーブコントローラは、格納されたIDに関連するシステムのマスターコントローラと通信を確立しようとする。
【００１３】
スレーブコントローラがIDを有しており、同じIDに関連するマスターコントローラが
応答すると、フローは端部4で終了する。
【００１４】
本発明によれば、判定ブロック10で示すように、スレーブコントローラがIDを有するが、このIDに関連するシステムのマスターコントローラを検出できない場合又はこれと通信することができない場合、スレーブコントローラはブロック12に進む。
【００１５】
フローのブロック12によれば、格納されたIDを外部から変更するアクセスを許容するために、セキュリティ手順のセキュリティレベルが低くなる。セキュリティ手順は、全体として迂回されてもよい。一般的に、このような低いセキュリティレベルでの通信は、セキュリティのない通信として示されてもよい。
【００１６】
更にフローのブロック12によれば、時間ウィンドウが設定又は開始される。外部からアクセスされる低いセキュリティレベルが許容されるのは、このウィンドウの間のみである。
【００１７】
時間ウィンドウの間に、判定ブロック14で示すように、スレーブコントローラは、外部からクリアIDメッセージの受信を監視する。ブロック16で示すように、このメッセージは、この受信時にスレーブコントローラがこれに格納されたIDをクリアすることを許容されることを示す。IDのクリアを実行した後に、フローは端部4で終了する。
【００１８】
判定ブロック18で示すように、クリアIDメッセージが時間ウィンドウの終了時にまだ受信されない場合に、フローは端部4で終了する。
【００１９】
図１のフローチャートに詳細に図示されていないが、記載の方法は、異なるセキュリティレベルが使用される複数の時間ウィンドウが使用されるという点で、更に高度になってもよい。ウィンドウの数は（例えば３に）制限されることが好ましい。
【００２０】
スレーブコントローラに格納されるシステムIDをクリアする代わりに、スレーブコントローラが既にシステムIDを受信して格納していることを示すフラグが設定されてもよい。スレーブコントローラは、これにより格納されるシステムIDを受信していない場合、このようなフラグを除去するように動作してもよい。スレーブコントローラは、受信したIDが格納されているIDと同一である場合にも、このようなフラグを除去してもよい。
【図面の簡単な説明】
【００２１】
【図１】本発明の方法の例のフローチャート
【図１】
2008517424.tif 000003
【国際調査報告】
2008517424.tif 000004
2008517424.tif 000005
2008517424.tif 000006